(57)【要約】  湿式シェービング型の剃刀カートリッジ組立体（１０）及びシェービングシステムで使用するための改善した皮膚係合装置。１つの実施形態では、皮膚係合面に開口部（７８）を含む熱可塑性樹脂で作られたシース層（７２）を有する２部品型の制御放出装置（６４）を提供し、このシース層（７２）は、シェービング補助剤を含むコア領域（７０）と共押し出し加工される。装置の少なくとも１つの端部は、少なくとも部分的に閉鎖されて、装置のこの端部に水が浸入することを阻止するとともに通常のシェービング動作中に装置のこの端部からシェービング補助剤が放出されることを阻止する。端部キャップ（８０）を追加することにより、適当なシーラントのフィルム（９０）を塗布することにより、或いはコアを越えて延びるシースの一部（１００）の内側対向壁を適当に接合することにより、装置の端部を封じることができる。【選択図】図６
2009545378.tif 000002
【特許請求の範囲】
【請求項１】
ハウジングと、
刃と、
ユーザの皮膚表面にシェービング補助剤を送出するための装置と、
を備えた剃刀カートリッジであって、
前記装置は、相対する端部を含むとともに細長い固体ポリマのシースをさらに含み、該シースは、不水溶性ポリマを含むとともに、シース外面に沿って延びる皮膚係合面を有し、
前記装置はさらに、前記シースと共押し出し加工され、全体にわたって少なくとも部分的に軸方向に延び、そして前記シースに囲まれた内部の固体ポリマのコアを含み、
前記コアはポリエチレンオキシドを含む５０〜１００重量％の固体シェービング補助剤を含み、前記シースは、前記皮膚係合面に少なくとも１つの開口部を有し、該開口部を通ってシェービング中に前記シェービング補助剤が放出され、
前記装置の第１の端部は、少なくとも部分的に閉鎖されて前記装置の前記第１の端部から前記シェービング補助剤が放出されるのを阻止する、
ことを特徴とする剃刀カートリッジ。
【請求項２】
前記装置の前記第１の端部における前記シースは、前記コアを越えて軸方向に延び、前記シースの前記延びた部分の一部は、前記シースの前記延びた部分の第２の部分に接着されて、前記装置の前記第１の端部を少なくとも部分的に閉鎖する、
ことを特徴とする請求項１記載の剃刀カートリッジ。
【請求項３】
前記装置の前記第１の端部における前記シースは、前記コアを越えて軸方向に延び、前記シースの前記延びた部分の一部は、前記シースの前記延びた部分の第２の部分に溶接されて、前記装置の前記第１の端部を少なくとも部分的に閉鎖する、
ことを特徴とする請求項１記載の剃刀カートリッジ。
【請求項４】
前記装置の前記第１の端部は、シーラントを塗布することにより少なくとも部分的に閉鎖される、
ことを特徴とする請求項１記載の剃刀カートリッジ。
【請求項５】
前記装置の前記第１の端部は、端部キャップにより少なくとも部分的に閉鎖される、
ことを特徴とする請求項１記載の剃刀カートリッジ。
【請求項６】
前記端部キャップはポリマ材料で形成される、
ことを特徴とする請求項５記載の剃刀カートリッジ。
【請求項７】
前記端部キャップは前記シースに接着される、
ことを特徴とする請求項６記載の剃刀カートリッジ。
【請求項８】
前記端部キャップは前記シースに溶接される、
ことを特徴とする請求項６記載の剃刀カートリッジ。
【請求項９】
前記端部キャップは延伸金属で形成される、
ことを特徴とする請求項５記載の剃刀カートリッジ。
【請求項１０】
前記金属はアルミニウムを含む合金である、
ことを特徴とする請求項９記載の剃刀カートリッジ。
【請求項１１】
前記端部キャップは前記シースに接着される、
ことを特徴とする請求項１０記載の剃刀カートリッジ。
【請求項１２】
前記端部キャップは前記シースに機械的に取り付けられる、
ことを特徴とする請求項１０記載の剃刀カートリッジ。
【請求項１３】
ハウジングと、
刃と、
ユーザの皮膚表面にシェービング補助剤を送出するための装置と、
を備えた剃刀カートリッジであって、
前記装置は、相対する端部を含むとともに細長い固体ポリマのシースをさらに含み、該シースは、不水溶性ポリマを含むとともに、シース外面に沿って延びる皮膚係合面を有し、
前記装置はさらに、前記シースと共押し出し加工され、全体にわたって少なくとも部分的に軸方向に延び、そして前記シースに囲まれた内部の固体ポリマのコアを含み、
前記コアはポリエチレンオキシドを含む５０〜１００重量％の固体シェービング補助剤を含み、前記シースは、前記皮膚係合面に少なくとも１つの開口部を有し、該開口部を通ってシェービング中に前記シェービング補助剤が放出され、
前記装置の第１の端部は、少なくとも部分的に閉鎖されて前記装置の前記第１の端部に水が浸入するのを阻止する、
ことを特徴とする剃刀カートリッジ。
【請求項１４】
ハウジングと、
刃と、
ユーザの皮膚表面にシェービング補助剤を送出するための装置と、
を備えた剃刀カートリッジであって、
前記装置は、相対する端部を含むとともに細長い固体ポリマのシースをさらに含み、該シースは、不水溶性ポリマを含むとともに、シース外面に沿って延びる皮膚係合面を有し、
前記装置はさらに、前記シースと共押し出し加工され、全体にわたって少なくとも部分的に軸方向に延び、そして前記シースに囲まれた内部の固体ポリマのコアを含み、
前記コアはポリエチレンオキシドを含む５０〜１００重量％の固体シェービング補助剤を含み、前記シースは、前記皮膚係合面に少なくとも１つの開口部を有し、該開口部を通ってシェービング中に前記シェービング補助剤が放出され、
前記装置の第１の端部は、少なくとも部分的に閉鎖されて、前記装置の前記第１の端部に水が浸入することと前記装置の前記第１の端部から前記シェービング補助剤が放出されることとの両方を阻止する、
ことを特徴とする剃刀カートリッジ。
【発明の詳細な説明】
【技術分野】
【０００１】
本発明は、一般に、湿式シェービング装置に関し、より具体的には、改善した皮膚係合装置を有する剃刀カートリッジに関する。本発明は、一般に、剃刀が皮膚を横切って動くときにシェービング補助剤を送出する構成の皮膚係合キャップ及び／又はガード面を提供することに帰する。
【背景技術】
【０００２】
湿式シェービング型のシェービングシステムでは、以下に限定されるわけではないが、皮膚全域における剃刀の摩擦抵抗、毛を切断するのに必要な力、及び元々存在する皮膚のダメージによる刺激を含む要因により、ある程度のシェービングによる不快感が生み出される可能性がある。皮膚にシェービング補助剤を塗布することにより、湿式シェービングシステムに伴う不快感及びその他の問題を軽減することができる。シェービング補助剤は、シェービング前、シェービング中、又はシェービング後に塗ることができる。シェービング前及びシェービング後に塗るシェービング補助剤の使用には多くの問題が伴う。シェービング前に塗るシェービング補助剤は蒸発する可能性があり、剃刀の反復ストロークにより塗った部位から取り除かれる可能性があり、或いは水を使用することにより塗った部位から洗い流される可能性がある。シェービング後に塗るシェービング補助剤は、シェービング中には皮膚に存在せず、従ってこれらの補助剤を塗ったとしても、好ましくない影響を防ぐには遅すぎる可能性がある。シェービング前及びシェービング後にシェービング補助剤を塗ることは両方とも、シェービング過程に追加ステップを加えることになる。
【０００３】
例えば剃刀の凹部にシェービング補助剤を定置したり、剃刀の１又はそれ以上の成形ポリマ部品の中にシェービング補助剤を直接組み入れたり、シェービング補助剤合成物を剃刀に接着固定したり、及びシェービング補助剤合成物と剃刀との間の機械的接続を使用することにより、例えば潤滑剤、髭柔軟剤、剃刀洗浄剤、薬剤、美容剤、又はこれらの組合せなどのシェービング補助剤を剃刀の中に組み入れるための多くの提案が行われてきた。ポリエチレンオキシドなどの水溶性シェービング補助剤は、ポリスチレン重合体などの不水溶性マトリクス材と混合されて、Ｂｏｏｔｈに付与された米国特許第４，１７０，８２１号及びＲｏｇｅｒｓ付与された米国特許第５，１１３，５８５号に開示される不溶性ポリマ／可溶性シェービング補助剤合成物を形成してきた。この合成物は、単一又は複数刃シェービングシステムの剃刀及びシェービングカートリッジ構造に、１又は複数のシェービングエッジに隣接して取り付けられてきた。水にさらすと、水溶性シェービング補助剤が合成物から皮膚の上に溶出する。これらの合成物は、最初の数回のシェービングで大量のシェービング補助剤を放出し、その後のシェービングではシェービング補助剤が劇的に少なくなる傾向がある。さらに、比較的多量（最大８０重量％）のシェービング補助剤と比較的少量（２０重量％程度の少量）の不水溶性マトリクス材とを含む押し出された合成物は、比較的脆弱であり、製造組立時及び使用時の両方において機械の故障をもたらす傾向がある。不溶性マトリクス材を増量することにより、機械的強度を増強させることができる。しかしながら、このような増量により、合成物におけるシェービング補助剤材料の割合及びシェービング補助剤材料の放出割合が低減する。
【０００４】
前述の特許に記載されるもののような特に高レベルのポリエチレンオキシド潤滑剤を含む業務用潤滑ストリップは、使用後に劣化する傾向にある。溶出率はシェービングの過程において変化し、通常ポリエチレンオキシドの約５０％をストリップに捕捉することができる。ポリエチレンオキシド担体（すなわち不水溶性マトリクス材）の選択は、低い融点又は軟化点を有しかつポリエチレンオキシドと少なくとも部分的に混和性のある担体に限定される。また、ストリップは約１８０℃の高温で作られるため、香料及び可塑剤のような添加物をストリップに組み入れることは困難である。
【０００５】
Ｔｓｅｎｇらに付与された米国特許第６，２９８，５５８号には、湿式シェービング型の剃刀カートリッジ組立体及びシェービングシステムに使用する改善された装置が開示されており、該特許の対象はその全体が参照により本明細書に組み入れられる。１つの実施形態では、熱可塑性樹脂で作られ、内部に開口部を備えるシース層と、内部にあるシェービング補助剤を含むコア領域とで構成される、２部品型の、制御放出を行うシェービング装置が提供される。潜在的に、この装置は、外観を保持し、シェービング補助剤を制御放出し、シェービング補助剤の劣化を最小にし、ストリップに捕捉されるシェービング補助剤を最小にし、及び製造が容易であり及び／又は剃刀カートリッジシステムと容易に一体化する装置を実現することができる。特許第６，２９８，５５８号には製造法が開示されており、これによれば、剃刀刃カートリッジの本体内又は本体上に埋め込むのに適した長さにまで切断された２つの部品を押し出し加工、すなわち共押し出し加工することにより装置が製造される。長さを切断することにより、装置の両端部のコア部分が露出する。使用中、水に触れると、装置は、露出したコアの端部からのシェービング補助剤の急速な溶出、及び皮膚に定置されないつまり無駄になる方向へのシェービング補助剤の溶出を被る可能性がある。多くのシェービング補助剤は、水に触れると膨らむ傾向にあるので、露出した装置の端部が制御不能に膨張する可能性があり、これが装置全体の早期故障につながる可能性がある。
【先行技術文献】
【特許文献】
【０００６】
【特許文献１】米国特許第４，１７０，８２１号公報
【特許文献２】米国特許第５，１１３，５８５号公報
【特許文献３】米国特許第６，２９８，５５８号公報
【特許文献４】米国特許第４，５８６，２５５号公報
【発明の概要】
【発明が解決しようとする課題】
【０００７】
上述の内容に基づき、剃刀カートリッジ用の（単複の）シェービング補助剤材料を送出するための共押し出し加工された装置、すなわち不水溶性ポリマのシースと、水溶性シェービング補助剤を含むコアとを有するシェービングシステムを提供することが望ましい。装置は、使用中の水の浸入を阻止するとともにシェービング補助剤の早期溶出又は装置の早期故障を阻止するために、長さを切断され、端部が閉鎖される。
【課題を解決するための手段】
【０００８】
本発明の剃刀カートリッジ又はシェービングシステムは、ハウジングと、少なくとも１つの剃刀刃と、通常のシェービング動作中にユーザの皮膚表面にシェービング補助剤を送出するための装置とを含む。装置は、不水溶性ポリマを含む細長い固体ポリマのシースと、このシースと共押し出し加工された内部の固体ポリマのコアとを含む。コアは、ポリエチレンオキシドを含む５０〜１００重量％の固体シェービング補助剤を含む。シースは、シース外面に沿って延びる皮膚係合面と、この皮膚係合面に少なくとも１つの開口部とを有し、この開口部を通してシェービング補助剤が放出される。装置の端部は、少なくとも部分的に閉鎖されて、装置の端部からの水の侵入及びシェービング補助剤の放出を阻止する。
【０００９】
本発明の１つの実施形態では、シースは、装置の一端でコアを越えて軸方向に延びる。延びたシースの一部は、例えば適当な接着剤により、延びたシースの別の部分に接着されるか、又は例えば超音波溶接で溶接されて装置の上記端部を少なくとも部分的に閉鎖する。
【００１０】
本発明の別の実施形態では、装置の一端にシーラントが塗布される。コアに染み込み過ぎない点を含む特性によりシーラントが選択される。便利なことに、塗布を容易にするために、シーラントは揮発性担体の形で存在することができる。
【００１１】
本発明のさらに別の実施形態では、装置の端部は、端部キャップにより少なくとも部分的に閉鎖される。端部キャップは、成形ポリマ材料又は延伸金属材料で形成することができる。端部キャップは、上述のように装置に接着又は溶接することができ、或いは機械的に取り付けることができる。
【００１２】
本発明の実施形態は、以下の利点の１又はそれ以上を含むことができる。装置の端部が閉鎖されて、使用中の水の浸入を阻止するとともにシェービング補助剤の早期溶出又は装置の早期故障を阻止する。添付図面と併せて以下の詳細な説明を参照することにより、本発明の上記の特徴及び利点をより完全に理解できるであろう。
【図面の簡単な説明】
【００１３】
【図１】本発明の剃刀カートリッジの実施形態の斜視図である。
【図２】図１の線２−２に沿って切り取った断面図である。
【図３】本発明の剃刀カートリッジの別の実施形態の断面図である。
【図４】本発明の装置の拡大斜視図である。
【図５】本発明の装置の別の実施形態の拡大斜視図である。
【図６】本発明の装置の別の実施形態の拡大斜視図である。
【発明を実施するための形態】
【００１４】
図面を参照すると、図１及び図２に示すシェービングユニット１０は、ＡＢＳ又は他の適当なポリマで成形された基部すなわちプラットフォーム部材１２を含み、この部材は、横方向に延びる前方皮膚係合面１８を定める剃刀ハンドル及びガード構造１６に取り付けるための一体型結合溝構造１４を含む。プラットフォーム１２の上面に、刃先２２を有する先頭剃刀刃２０と、刃先２６を有する後続剃刀刃２４と、剃刀刃２０及び２４を相隔てた関係で保持するアルミニウムスペーサ部材２８とが配置される。キャップ部材３０もまた、ＡＢＳ又は他の適当なポリマで成形されるとともに本体部分３２を有し、この本体部分３２は、前方に突出する端壁３６間で横方向に延びる後方皮膚係合面３４を定め、また刃先２６の後方に配置される前部エッジ３８を有する。一体リベット部４０が、横方向に延びる本体部分３２から下方に延び、刃２０と２４、スペーサ２８、及びプラットフォーム１２の孔を貫通してキャップ３０、刃２０、２４、及びスペーサ２８をプラットフォーム１２上に固定する。皮膚係合面３４に装置４２が接着剤で取り付けられる。
【００１５】
図３に示すシェービングユニット５０は、Ｊａｃｏｂｓｏｎに付与された米国特許第４，５８６，２５５号で示されるタイプのもので、前方部５４と後方部５６とを備える本体５２を含み、上記特許は参照により本明細書に組み入れられる。ガード部材５８は、本体に弾性的に或いは強固に取り付けることができ、また当業で公知の複数の弾性フィンを備えることもできる。シェービングユニットは、湾曲支持体６１に取り付けられる先頭剃刀刃６０と、湾曲支持体６３に取り付けられる後続剃刀刃６２とを含む。当業者であれば、このシェービングユニットは、１枚、２枚、３枚、又はそれ以上の剃刀刃を含むことができ、本発明はこの点で限定されるものではないということを理解するであろう。細長い装置６４の形状のシェービング補助剤合成物は、後方部５６の開口部６６に摩擦固定される。
【００１６】
図４から図６は本発明の変形例を大まかに示す図である。本明細書で使用する「コア（ｃｏｒｅ）」という用語は、切断面で観察される皮膚係合部材の内側部分のことを意味する。コアは、通常、軸に沿って皮膚係合部材全体に及ぶ。軸は中心軸である必要はない。図３では、コアを７０で示し、シースを７２で示す。本発明の実施形態は少なくとも１つのコアを有する。本明細書で使用する「シース（ｓｈｅａｔｈ）」という用語は、コア７０全体を覆う（単複の）外側コーティング層のことを意味する。コアとシースとを含む装置６４は、２つの部品で、或いは共押し出し処理によって製造され、剃刀刃カートリッジの本体内又は本体上に埋め込むのに適した長さにまで切断されることが好ましい。コアは、ポリエチレンオキシドを含む５０〜１００重量％の固体水溶性シェービング補助剤を含む。シースの好ましい材料は、Ｔｓｅｎｇらに付与された米国特許第６，２９８，５５８号に開示されており、該特許は参照により本明細書に組み入れられる。シースの皮膚係合面７４は、シェービング補助剤を皮膚に放出するための少なくとも１つの開口部７８を有する。装置は、約３個から約３０個の開口部７８を含むことが好ましく、１０個〜１５個の開口部を含むことが最も好ましく、これらを皮膚係合面７４に沿って均一に分散して含むことが好ましい。シースの皮膚係合面はまた、使用中に多孔性となる業務用ストリップ（ポリエチレンオキシド／ポリスチレン）のような軟層を含むこともできる。図３を参照すると、装置は細長い挿入部材７６を有する。図３に示すように、挿入部材７６は、開口部６６内で摩擦固定するように設計される。
【００１７】
図４は本発明の例示的な実施形態を示す図である。端部キャップ８０が装置６４の端部に取り付けられ、この端部を少なくとも部分的に閉鎖して、装置のこの端部への水の浸入を阻止するとともに露出したコアからのシェービング補助剤の放出を阻止する。端部キャップは成形ポリマ材料で製造することができ、シースに容易に超音波溶接されるという能力により選択されるポリマ材料で製造できることが最も好ましい。端部キャップはまた、適当な接着剤で装置に接着することもでき、シアノアクリレート接着剤で接着できることが好ましく、ヘンケル社製の指定等級ロックタイト４２０で接着できることが最も好ましい。端部キャップはまた、延伸金属で製造することもでき、アルミニウム合金で製造し、前述のように装置に接着できることが好ましい。端部キャップの壁に穴を開けることにより、延伸金属の端部キャップを装置に機械的に取り付け、これにより端部キャップの一部が装置を貫通して、キャップがはずれるのを防ぐことができるようになる。
【００１８】
図５は本発明の別の実施形態を示す図である。長さ切断処理により露出した装置の端部は、適当なシーラントのフィルム９０を塗布することにより少なくとも部分的に閉鎖される。シーラントは、塗布後に蒸発する揮発性成分を有するラッカーであることが好ましい。シーラントは、少なくともシースに接着して耐久フィルムを形成するという能力により、及びコアに染み込んで、通常のシェービング中に開口部７８を通るシェービング補助剤材料の放出に影響を与えるようになる能力を有さないことにより選択される。シーラントはまた、シリコーンを含む室温加硫（ＲＴＶ）材料又は２部エポキシ樹脂であってもよい。
【００１９】
図６は本発明のさらに別の実施形態を示す図である。装置端部の短い長さ１００が潰され、或いは絞られて、潰された部分付近のコアの一部を除去している。シースの内側対向壁は、超音波又は別の方法でともに溶接され、閉じ目１０２を形成して、装置のこの端部を少なくとも部分的に閉鎖することが好ましい。上述のように、内側の対向するシース壁をともに接着することもできる。
【００２０】
本発明は、本明細書で開示する及び／又は図面に示す特定の構成に決して限定されるものではなく、また本開示の範囲内のあらゆる修正物又は均等物を含むものであると理解されたい。
【符号の説明】
【００２１】
６４  装置
７４  皮膚係合面
７８  開口部
１００  短い長さ
１０２  閉じ目
【図１】
2009545378.tif 000003
【図２】
2009545378.tif 000004
【図３】
2009545378.tif 000005
2009545378.tif 000006
【図５】
2009545378.tif 000007
【図６】
2009545378.tif 000008
【国際調査報告】
2009545378.tif 000009
2009545378.tif 000010